(57)【要約】【課題】専用の構成を必要としない簡易な構成で便座装置に振動スピーカを配設する。【解決手段】便器に固定される本体と、本体に支持された便座と、を備える便座装置は、本体内の中空部または便座内の中空部に配設され、本体または便座を振動させることで音を発生させる振動スピーカを備えるから、便蓋を二重蓋構造とすることのない簡易な構成で、振動スピーカを配設することができる。また、本体内の中空部または便座内の中空部に配設することで、振動スピーカに水滴がかかるのを防止することができる。【選択図】図１
2019216795.tif 000002
【特許請求の範囲】
【請求項１】
便器に固定される本体と、前記本体に支持された便座と、を備える便座装置であって、  前記本体内の中空部または前記便座内の中空部に配設され、前記本体または前記便座を振動させることで音を発生させる振動スピーカを備える
便座装置。
【請求項２】
請求項１に記載の便座装置であって、
前記便座は、中空の支持軸により前記本体に支持されており、
前記支持軸内を通る配線により電力が供給され、前記便座の着座面の裏面に配設される便座ヒータを備え、
前記振動スピーカは、前記便座内の中空部において前記裏面に対向する底面に配設され、前記支持軸内を通る配線により電力が供給される
便座装置。
【請求項３】
請求項１または２に記載の便座装置であって、
前記振動スピーカは、前記便座内の中空部のうち後方側に配設される
便座装置。
【請求項４】
請求項１ないし３のいずれか１項に記載の便座装置であって、
前記振動スピーカは、前記便座内の中空部に配設され、音を発生させる際とは異なる周波数で前記便座を振動させる
便座装置。
【発明の詳細な説明】
【技術分野】
【０００１】
本発明は、便座装置に関する。
【背景技術】
【０００２】
従来、この種の便座装置としては、便座装置の各種機能の作動を案内する音声や使用者の排泄音をマスキングするための擬音、音楽などを出力可能なものが提案されている。例えば、特許文献１には、便座装置の本体に左右一対のスピーカが内蔵されており、本体の背面には左右それぞれに音発生用の貫通穴が設けられたものが記載されている。また、特許文献２には、便座を開閉自在に覆う便蓋を二重蓋構造で構成し、その二重蓋構造内に振動スピーカ（加振器）を配設し、振動スピーカにより二重蓋構造の壁板を振動させることで音を発生させるものが記載されている。この便座装置では、二重蓋構造内に振動スピーカを配設することで、振動スピーカを露出させないものとして、便蓋の外観上の見栄えをよいものとしている。
【先行技術文献】
【特許文献】
【０００３】
【特許文献１】特許第４１９４８１７号公報
【特許文献２】特開２００９−１２５５０２号公報
【発明の概要】
【発明が解決しようとする課題】
【０００４】
特許文献２の便座装置では、二重蓋構造に音発生用の貫通穴を不要としているため、飛散した水滴などが二重蓋構造内に浸入するのを防止することが可能となっている。しかしながら、二重蓋構造の便蓋内に振動スピーカを配設するため、専用の便蓋を用意するだけでなく、便蓋を支持する支持軸に振動スピーカ用の配線を通すように構成する必要がある。このため、便蓋および支持構造が複雑なものとなり、コストアップを招いてしまう。
【０００５】
本発明は、専用の構成を必要としない簡易な構成で便座装置に振動スピーカを配設することを主目的とする。
【課題を解決するための手段】
【０００６】
本発明の便座装置は、上述の主目的を達成するために以下の手段を採った。
【０００７】
本発明の便座装置は、便器に固定される本体と、前記本体に支持された便座と、を備える便座装置であって、前記本体内の中空部または前記便座内の中空部に配設され、前記本体または前記便座を振動させることで音を発生させる振動スピーカを備えることを要旨とする。
【０００８】
本発明の便座装置は、本体内の中空部または便座内の中空部に配設され、本体または便座を振動させることで音を発生させる振動スピーカを備える。これにより、便蓋を二重蓋構造とすることのない簡易な構成で、便座装置に振動スピーカを配設することができる。また、本体内や便座内には水滴が浸入しにくいから、振動スピーカに水滴がかかるのを防止することができる。また、本体内の中空部または便座内の中空部に振動スピーカを配設することで、振動により発せられた音が中空部の内面で反射しながら拡散されると共に外部に放出されるから、音の広がり感を高めて音響効果を向上させることができる。
【０００９】
本発明の便座装置において、前記便座は、中空の支持軸により前記本体に支持されており、前記支持軸内を通る配線により電力が供給され、前記便座の着座面の裏面に配設される便座ヒータを備え、前記振動スピーカは、前記便座内の中空部において前記裏面に対向する底面に配設され、前記支持軸内を通る配線により電力が供給されるものとしてもよい。こうすれば、便座ヒータの配線を通す支持軸を利用して振動スピーカの配線を通すことができるから、便座ヒータを備える便座装置において構造を大きく変更することなく振動スピーカを配設することができる。
【００１０】
本発明の便座装置において、前記振動スピーカは、前記便座内の中空部のうち後方側に配設されるものとしてもよい。これにより、使用者の排泄音が生じる臀部のより近くで振動スピーカの音を発生させることができるから、排泄音をより効果的に打ち消すことができる。
【００１１】
本発明の便座装置において、前記振動スピーカは、前記便座内の中空部に配設され、音を発生させる際とは異なる周波数で前記便座を振動させるものとしてもよい。こうすれば、振動スピーカからの振動を利用して、便座に着座している使用者に情報の伝達などを行うことができる。
【図面の簡単な説明】
【００１２】
【図１】本実施形態の便座装置１０が取り付けられた便器１の外観斜視図である。
【図２】便座装置１０の概略構成図である。
【図３】便座１２の断面構成図である。
【図４】変形例の便座装置１０Ｂの外観斜視図である。
【図５】変形例の便座装置１０Ｃの外観斜視図である。
【図６】変形例の便座装置１０Ｄの外観斜視図である。
【図７】別実施形態の便座装置１００が取り付けられた便器１の外観斜視図である。
【図８】便座装置１００の概略構成図である。
【図９】給電制御ルーチンの一例を示すフローチャートである。
【図１０】スピーカ作動制御ルーチンの一例を示すフローチャートである。
【図１１】変形例の便座装置１００Ｂの外観斜視図である。
【図１２】変形例の便座装置１００Ｂの外観斜視図である。
【図１３】変形例の便座装置１００Ｃおよびスピーカユニット２００の外観斜視図である。
【図１４】変形例の便座装置１００Ｃおよびスピーカユニット２００の外観斜視図である。
【発明を実施するための形態】
【００１３】
次に、本発明を実施するための形態について説明する。
【００１４】
図１は本実施形態の便座装置１０が取り付けられた便器１の外観斜視図であり、図２は便座装置１０の概略構成図であり、図３は便座１２の断面構成図である。なお、図３は図２のＡ−Ａ断面に相当する。便器１は、洋式便器であり、便器１の上面に便座装置１０が設置されている。便座装置１０は、図１に示すように、便器１の後方に固定される便座装置本体１１と、便座装置本体１１に対して回動自在に支持された便座１２および便蓋１６と、便座１２内に配設された便座ヒータ１４および振動スピーカ２０と、使用者により操作される操作パネル１８とを備える。
【００１５】
便座装置本体１１は、洗浄水を加温する熱交換ユニットや人体の局部に洗浄水を噴射する噴射ノズルなどを含む図示しない局部洗浄装置と、便座装置１０の全体をコントロールする制御装置１９とを備え、これらは樹脂製のハウジング内に収容されている。
【００１６】
便座１２は、中空の支持軸（回動軸）１３を介して便座装置本体１１に回動自在に支持されており、着座面１２ａを加温するための便座ヒータ１４と、擬音（音）を発生させるための振動スピーカ２０とが配設されている。便座１２は、内部に水滴が浸入しないように密閉構造となっており、便座ヒータ１４と振動スピーカ２０は、便座１２内の中空部１２ｂに配設されている。
【００１７】
便座ヒータ１４は、詳細な図示は省略するが、蛇行するように配設されたヒータ線を、上下２枚の金属箔の間に挟んで構成されており、上側の金属箔が着座面１２ａの裏側の裏面１２ｃに貼り付けられることで便座１２に取り付けられる。便座ヒータ１４のヒータ線には、中空の支持軸１３を通って電力を供給する配線１４ａが接続されている。なお、便座ヒータ１４は、金属箔が便座１２の着座面１２ａの形状に沿って形成されているが、便座１２の前方側の中央部で途切れており、便座１２の前方側の中央部には配設されていない。これは、便座１２の前方側の中央部は、通常は便座１２に着座している使用者の体（足）が接触せず着座面１２ａを加温する必要性が低いためである。
【００１８】
振動スピーカ２０は、流水音や鳥の鳴き声などの擬音を発生させて、使用者が排泄する際の排泄音などをマスキングするものである。この振動スピーカ２０は、便座１２の中空部１２ｂにおいて、裏面１２ｃに対向する底面１２ｄに配設されている。また、便座１２の円環状の中空部１２ｂのうち便座１２の後方側に振動スピーカ２０が配設されている。このため、便座１２に着座している使用者の臀部のより近くに振動スピーカ２０が位置するものとなる。振動スピーカ２０は、振動素子を備えており、制御装置１９から入力される音声信号に基づいて振動素子の振動を便座１２の底面１２ｄに伝達させて便座１２を振動させることで擬音を発生させる。なお、振動素子としては、例えば、電磁アクチュエータが用いられる他、圧電素子や超磁歪素子などが用いられる。
【００１９】
制御装置１９は、図示しないＣＰＵやＲＯＭ，ＲＡＭ，入出力ポートなどを備える。制御装置１９には、図示しない入力ポートを介して、便座１２への使用者の着座を検知する着座センサ１７からの検知信号や操作パネル１８に設けられた各操作スイッチからの操作信号、便座１２の着座面１２ａ近傍の温度を検出する図示しない温度センサからの検出温度などが入力される。なお、操作パネル１８には、例えば、局部洗浄装置による洗浄動作を開始させる洗浄作動スイッチ１８ａや洗浄動作を停止させる洗浄停止スイッチ１８ｂ、振動スピーカ２０による擬音の発生を開始させる擬音発生スイッチ１８ｃ、擬音の発生を停止させる擬音停止スイッチ１８ｄなどの操作スイッチが設けられている。また、制御装置１９からは、局部洗浄装置への作動信号や便座ヒータ１４への作動信号、振動スピーカ２０への作動信号などが出力ポートを介して出力される。
【００２０】
こうして構成された便座装置１０では、振動スピーカ２０を用いた擬音発生に関する動作が次のように行われる。例えば、制御装置１９は、操作パネル１８の擬音発生スイッチ１８ｃが操作された場合に振動スピーカ２０を作動させて、便座１２を振動させることで擬音の発生を開始する。このとき、制御装置１９は、着座センサ１７からの検知信号に基づいて、使用者の着座が検知されていることを振動スピーカ２０の作動条件としてもよい。あるいは、便座装置１０が、擬音を自動で発生させる自動擬音モードを有するものとし、その自動擬音モードでは、制御装置１９は、使用者の着座が検知されると振動スピーカ２０の作動を開始させるものとしてもよい。また、制御装置１９は、振動スピーカ２０の作動中に、操作パネル１８の擬音停止スイッチ１８ｄが操作されたと判定すると、振動スピーカ２０の作動を停止させる。また、制御装置１９は、使用者の着座が検知されていることを振動スピーカ２０の作動条件とする場合には、使用者の着座が検知されなくなると振動スピーカ２０の作動を停止させればよい。
【００２１】
ここで、振動スピーカ２０は、便座１２を振動体として振動させることで擬音を発生させる。振動スピーカ２０は、便座１２内の中空部１２ｂにおける底面１２ｄに配設されているから、振動により発せられた音が中空部１２ｂの内面で反射しながら拡散されると共に外部に放出されることになる。このため、音の広がり感を高めることができるから、比較的小型の振動スピーカ２０を用いた場合でも音響効果を向上させることができる。また、上述したように使用者の臀部のより近くに振動スピーカ２０が配設されているため、排泄音の発生箇所の近くで擬音を発生させることができるから、排泄音を効果的にマスキングすることができる。
【００２２】
以上説明した本実施形態の便座装置１０は、振動スピーカ２０が便座１２内の中空部１２ｂに配設されるから、便蓋１６を専用の構成とすることなく、簡易な構成で振動スピーカ２０を配設することができる。また、便座１２は密閉構造であり水滴が浸入しにくいから、振動スピーカ２０に水滴が掛かるのを防止することができる。また、中空部１２ｂに振動スピーカ２０を配設することで、音の広がり感を高めて音響効果を向上させることができる。
【００２３】
また、便座ヒータ１４の配線１４ａを通す中空の支持軸１３に振動スピーカ２０の配線２０ａを通すから、便座ヒータ１４を備える便座装置１０において構造を大きく変更することなく振動スピーカ２０を配設することができる。
【００２４】
また、振動スピーカ２０が便座１２内の中空部１２ｂのうち後方側に配設されいるから、排泄音をより効果的にマスキングすることができる。
【００２５】
本実施形態では、振動スピーカ２０が便座１２の後方側に配設されるものとしたが、これに限られるものではない。図４は変形例の便座装置１０Ｂの外観斜視図であり、図５は変形例の便座装置１０Ｃの外観斜視図である。図４の便座装置１０Ｂに示すように、便座１２の前後方向における中央部に振動スピーカ２０が配設されてもよい。図４では、着座している使用者から見て便座１２の中央部における右側に振動スピーカ２０が配設されているが、便座１２の中央部における左側に振動スピーカ２０が配設されてもよい。また、図５の便座装置１０Ｃに示すように、便座１２の前方側に振動スピーカ２０が配設されてもよい。なお、上述したように、便座ヒータ１４は便座１２の前方側における中央部で途切れており、前方側に振動スピーカ２０を配設する場合には着座面１２ａの裏面１２ｃに配設することも可能となる。このため、振動スピーカ２０の配置の自由度を高めることができる。
【００２６】
本実施形態では、振動スピーカ２０が便座１２内の中空部１２ｂに配設されるものとしたが、これに限られるものではない。図６は変形例の便座装置１０Ｄの外観斜視図である。図示するように、便座装置１０Ｄの便座装置本体１１（ハウジング）内に振動スピーカ２０が配設されている。このようにする場合、便座装置本体１１内の中空部の上面（天井面）に振動スピーカ２０を取り付けるものなどとすることができる。便座装置本体１１の中空部は、便座１２の中空部１２ａよりも大きな内部空間であるから、音の広がり感をさらに高めることができ、音響効果を一層向上させることができる。また、振動スピーカ２０の配線２０ａを、支持軸１３内に通す必要がないから、接続構成をより簡易なものとすることができる。
【００２７】
本実施形態では、振動スピーカ２０により擬音を発生させるものとしたが、これに限られず、振動スピーカ２０が擬音を発生させる際とは異なる周波数で便座１２を振動させるものなどとしてもよい。例えば、５０〜３００Ｈｚ程度の周波数で便座１２が振動するように振動スピーカ２０を作動させる。このようにすれば、振動スピーカ２０からの振動を、便座１２に着座している使用者への情報の伝達に利用することができる。例えば、使用者が所定時間以上に亘り便座１２に着座している場合に、振動スピーカ２０を作動させることで、使用者に所定時間以上の着座の旨を伝達することができる。また、使用者が着座している時間が長くなるにつれて、振動スピーカ２０を作動させる間隔を短くするなど振動の発生態様を変化させることで、使用者に便座装置１０の使用時間が長くなっていることを伝達することができる。このようにすることで、便座装置１０が飲食店や駅などに設置される公共用のものである場合に、長時間の使用に対して使用者に注意喚起して、早期の使用終了を促すこともできる。
【００２８】
本実施形態では、振動スピーカ２０を１個配設するものを例示したが、これに限られず、振動スピーカ２０を複数個配設するものとしてもよい。そのようにする場合、複数個の振動スピーカ２０を同じ面（便座装置本体１１内の中空部の上面など）に配設するものなどとする。また、例えば、便座装置本体１１内の中空部の上面に２個の振動スピーカ２０を取り付ける場合、便座装置本体１１の横方向（左右方向）に所定間隔Ｐを空けて並べるものが好適である。この所定間隔Ｐは、便座装置本体１１の横方向の長さをＬとした場合に略Ｌ／４以下とすることが好ましく、これによりステレオ効果を得ることができる。また、所定間隔Ｐが広く各振動スピーカ２０の位置が両側壁に近くなると低音が出にくくなり、所定間隔Ｐが狭く各振動スピーカ２０の位置が近すぎるとステレオ効果が低下することから、所定間隔ＰはＬ／４に近いものがより好ましい。
【００２９】
［別実施形態］
次に、別実施形態の便座装置１００について説明する。上述した実施形態や変形例では便座装置本体１１内または便座１２内に振動スピーカ２０を配設するものとしたが、別実施形態では便蓋に振動スピーカ２０を配設する。図７は別実施形態の便座装置１００が取り付けられた便器１の外観斜視図であり、図８は便座装置１００の概略構成図である。なお、便座装置１００では、便座装置１０と同じ構成については同じ符号を付して詳細な説明を省略する。
【００３０】
便座装置１００の便座１１２は、便座１２と同様に、中空の支持軸１３を介して便座装置本体１１に回動自在に支持されており、便座ヒータ１４が配設されているが、振動スピーカ２０は配設されていない。また、便座ヒータ１４は、上述した実施形態と同様に便座１２の前方側の中央部で途切れており、前方側の中央部には配設されないものとなっている。便座１１２は、便座ヒータ１４が配設されない前方側の中央部における中空部内に、給電コイル１２１が配設されている。この給電コイル１２１は、中空の支持軸１３を通した配線１２１ａを介して通電される。
【００３１】
便座装置１００の便蓋１１６は、支持軸１１６ａを介して便座装置本体１１（便座１１２）に開閉可能に支持されている。別実施形態では、便蓋１１６を二重蓋構造として内部空間を有するように構成している。この便蓋１１６の内部には、振動スピーカ１２０と、受電コイル１２３と、充電部１２４と、バッテリ１２５と、スピーカ制御装置１２７とが配設されている。
【００３２】
受電コイル１２３は、便蓋１１６が便座１１２を覆う閉状態で、便座１１２の給電コイル１２１と対向する位置に配設されている。このため、便蓋１１６の閉状態で、給電コイル１２１に電流を流して受電コイル１２３の磁束に変化を与えて起電力を発生させることにより受電コイル１２３に電流を流す電磁誘導式によるワイヤレス給電が可能となっている。なお、給電コイル１２１に電流を流して発生した磁場の振動を受電コイル１２３に伝達させて共振させることにより受電コイル１２３に電流を流す磁界共鳴式など、別方式によるワイヤレス給電を行うものとしてもよい。このように、便座装置１００では、給電コイル１２１と受電コイル１２３とによるワイヤレス給電が可能となっており、一例としてＱｉ規格に準拠したワイヤレス給電を行うものとする。
【００３３】
充電部１２４は、受電コイル１２３からの交流電力を直流電力に整流してバッテリ１２５を充電するものである。スピーカ制御装置１２７は、バッテリ１２５の電力を用いて振動スピーカ１２０が作動するように振動スピーカ１２０を制御する。また、スピーカ制御装置１２７は、Ｑｉ規格に準拠したワイヤレス給電に必要な制御や通信も行っており、電力供給に必要な各種データを受電コイル１２３と給電コイル１２１とを介した無線通信により制御装置１９に送信する。
【００３４】
こうして構成された便座装置１００では、振動スピーカ１２０を用いた擬音発生に関する動作が次のように行われる。図９は給電制御ルーチンの一例を示すフローチャートであり、図１０はスピーカ作動制御ルーチンの一例を示すフローチャートである。図９の給電制御ルーチンは、制御装置１９により実行される。この給電制御ルーチンでは、制御装置１９は、便蓋１１６のスピーカ制御装置１２７との無線通信の接続状態に基づいて便蓋１１６が閉状態であるか否かを判定する（Ｓ１００）。なお、便座装置本体１１に便蓋１１６の開閉検知センサを設けておき、制御装置１９はその検知信号に基づいて便蓋１１６の閉状態を検知してもよい。制御装置１９は、便蓋１１６が閉状態であると判定すると、給電コイル１２１への通電を開始することでワイヤレス給電を開始する（Ｓ１１０）。
【００３５】
そして、バッテリ１２５の充電が完了したか否か（Ｓ１２０）、便蓋１１６が開状態になったか否か（Ｓ１３０）、のいずれかを判定するのを待つ。なお、制御装置１９は、上述したスピーカ制御装置１２７との無線通信によりバッテリ１２５の充電完了や便蓋１１６の開状態を判定する。制御装置１９は、Ｓ１２０でバッテリ１２５の充電が完了したと判定するか、Ｓ１３０で便蓋１１６が開状態になったと判定すると、給電コイル１２１への通電を終了することでワイヤレス給電を終了して（Ｓ１４０）、給電制御ルーチンを終了する。
【００３６】
図１０のスピーカ作動制御ルーチンは、スピーカ制御装置１２７により実行される。このスピーカ作動制御ルーチンでは、スピーカ制御装置１２７は、便蓋１１６が開状態であるか否かを判定する（Ｓ２００）。なお、スピーカ制御装置１２７は、バッテリ１２５が充電完了となっていない状態では、受電コイル１２３への電力の供給が中止されたことに基づいて便蓋１１６の開状態を検知してもよい。あるいは、スピーカ制御装置１２７は、制御装置１９との無線通信の接続状態に基づいて便蓋１１６の開状態を検知してもよいし、便蓋１１６に開閉検知センサを設けておきその検知信号に基づいて便蓋１１６の開状態を検知してもよい。
【００３７】
スピーカ制御装置１２７は、便蓋１１６が開状態であると判定すると、振動スピーカ１２０に音声信号を出力して擬音の発生を開始する（Ｓ２１０）。このため、便蓋１１６が閉状態から開状態になったことに基づいて便蓋１１６（振動スピーカ１２０）から擬音が発生することになる。そして、スピーカ制御装置１２７は、便蓋１１６が閉状態になったか否かを判定する（Ｓ２２０）。スピーカ制御装置１２７は、便蓋１１６が閉状態になったと判定すると、振動スピーカ１２０の作動を停止させることで擬音の発生を終了して（Ｓ２３０）、スピーカ作動制御ルーチンを終了する。このように、便蓋１１６が閉状態から開状態とされたことに基づいて振動スピーカ１２０の作動を開始し、便蓋１１６が開状態から閉状態とされたことに基づいて振動スピーカ１２０の作動を終了するのである。なお、制御装置１９からスピーカ制御装置１２７へ、擬音発生スイッチ１８ｃや擬音停止スイッチ１８ｄからの操作信号を無線通信により送信可能とするものとしてもよい。そして、スピーカ制御装置１２７は、制御装置１９から送信された操作信号に基づいて、振動スピーカ１２０の作動の開始または停止を制御するものなどとしてもよい。
【００３８】
以上説明した便座装置１００は、便座１１２に配設された給電コイル１２１と、便蓋１１６に配設された受電コイル１２３とによりワイヤレス（非接触）で電力を供給して振動スピーカ１２０から擬音を発生させることができる。また、便座１１２には便座ヒータ１４が配設されており、便座１１２の支持軸１３を利用して給電コイル１２１の配線１２１ａを通せばよい。したがって、便蓋１１６の支持軸１１６ａを配線を通すように構造を変更することなく、便蓋１１６に振動スピーカ１２０を取り付けることができる。
【００３９】
また、スピーカ制御装置１２７は、便蓋１１６の開閉に合わせて振動スピーカ１２０を作動させるから、使用者の使用タイミングに合わせて擬音を発生させると共に振動スピーカ１２０が電力を無駄に消費するのを抑えることができる。また、便座ヒータ１４が配設されていない便座１１２の前方側の中央部に給電コイル１２１が配設されるから、便座ヒータ１４による便座１１２の加温を阻害することなく、ワイヤレス給電を行うことができる。また、便蓋１１６は、支持軸１１６ａに近い側（閉状態における後方側）にバッテリ１２５やスピーカ制御装置１２７が配設され、支持軸１１６ａに遠い側（閉状態における前方側）に受電コイル１２３が配設され、中央に振動スピーカ１２０が配設される。中央に振動スピーカ１２０が配設されることで、便蓋１１６の全体に振動を満遍なく伝達させるから、使用者の背後からの音の広がり感を高めて音響効果を向上させることができる。また、便蓋１１６の開閉動作の中心となる支持軸１１６ａ側に、比較的重量の大きなバッテリ１２５やスピーカ制御装置１２７を配設することで、便蓋１１６の支持軸１１６ａに掛かる負荷を抑えて開閉操作をスムーズに行うことができる。
【００４０】
別実施形態では、便座１１２の前方側の中央部に給電コイル１２１が配設されるものとしたが、これに限られず、便座１１２の前方側の中央部以外の箇所に給電コイル１２１が配設されるものとしてもよい。そのようにする場合、給電コイル１２１の配設箇所に対応する位置に受電コイル１２３を配設するものとすればよい。
【００４１】
別実施形態では、便蓋１１６の閉状態における前方側に受電コイル１２３が配設され、中央に振動スピーカ１２０が配設され、後方側にバッテリ１２５やスピーカ制御装置１２７が配設されるものとしたが、これに限られるものではない。即ち、受電コイル１２３や振動スピーカ１２０、バッテリ１２５、スピーカ制御装置１２７の配設箇所は上述した箇所に限られず、便蓋１１６内に配設されるものであればよい。
【００４２】
別実施形態では、１の便蓋１１６内に振動スピーカ１２０と、受電コイル１２３と、充電部１２４と、バッテリ１２５と、スピーカ制御装置１２７とが配設されるものとしたが、これに限られるものではない。ここで、図１１，図１２は変形例の便座装置１００Ｂの外観斜視図である。図示するように、変形例の便座装置１００Ｂは、閉状態で便座１１２を覆う前方蓋１１６Ｆと、閉状態で便座装置本体１１と前方蓋１１６Ｆの支持軸部周辺を覆う後方蓋１１６Ｒとにより便蓋が構成されている。この変形例では、後方蓋１１６Ｒを二重蓋構造とし、その後方蓋１１６Ｒ内に振動スピーカ１２０と、受電コイル１２３と、充電部１２４と、バッテリ１２５と、スピーカ制御装置１２７とが配設される。また、図示は省略するが、便座装置本体１１内に、給電コイルが配設される。後方蓋１１６Ｒの受電コイル１２３は、後方蓋１１６Ｒが便座装置本体１１を覆った状態で、便座装置本体１１内の給電コイルに対向する位置に配設されている。このように構成しても、便座装置１００と同様に、ワイヤレス給電により電力を供給して振動スピーカ１２０を作動させることが可能となる。また、給電コイルを便座装置本体１１内に配設するため、便座１１２の前方側に給電コイル１２１を配設するものに比して配線１２１ａを短くすることができるだけでなく、支持軸１３内に配線を通す必要がないものとなる。したがって、ワイヤレス給電により振動スピーカ１２０を作動させる構成をより簡易な構成とすることができる。
【００４３】
別実施形態では、便蓋１１６内に振動スピーカ１２０と、受電コイル１２３と、充電部１２４と、バッテリ１２５と、スピーカ制御装置１２７とが配設されるものとしたが、これに限られるものではない。ここで、図１３，図１４は変形例の便座装置１００Ｃおよびスピーカユニット２００の外観斜視図である。図示するように、変形例のスピーカユニット２００は、振動スピーカ１２０と、受電コイル１２３と、充電部１２４と、バッテリ１２５と、スピーカ制御装置１２７とを備え、これらをユニットケース２０２内に収容している。ユニットケース２０２は、横方向の長さ（幅）が便蓋１１６Ｃの湾曲した縁部の形状に沿うように形成されると共に厚みが便蓋１１６Ｃの縁部の高さに収まるように形成されている。また、ユニットケース２０２は、便蓋１１６Ｃの閉状態における下面（開状態における前面）に設けられた係止部１２８に背面が係止可能な構成となっている。このため、ユニットケース２０２は、便蓋１１６Ｃに着脱可能となっている。また、ユニットケース２０２が取り付けられた便蓋１１６Ｃが閉状態となると、受電コイル１２３が便座１２１の給電コイル１２１と対向する位置となるように、ユニットケース２０２内に受電コイル１２３が配設されている。なお、係止部１２８は、ユニットケース２０２が取り付けられていない状態では平板状のプレートなどが取り付けられて覆われるものとすることで、便蓋１１６Ｃの外観が損なわれるのを防止するものなどとしてもよい。
【００４４】
この便座装置１００Ｃでも、便座装置１００と同様に、ワイヤレス給電により振動スピーカ１２０を作動させることができる。また、スピーカユニット２００が便蓋１１６Ｃに着脱可能に構成されるから、便座１１２に給電コイル１２１を配設しておけば、使用者が好みや必要に応じてスピーカユニット２００を便蓋１１６Ｃに取り付けることで、振動スピーカ１２０からの擬音を発生させることが可能となる。なお、擬音の発生が不要であれば、スピーカユニット２００を便蓋１１６Ｃから取り外しておくものとすればよい。
【００４５】
別実施形態では、ワイヤレス給電により振動スピーカ１２０を作動させるものを例示したが、これに限られるものではない。例えば、液晶画面などの表示画面を作動させるものとしてもよい。また、便蓋１１６Ｃに着脱可能なスピーカユニット２００を例示したが、表示画面を有するユニットとして構成するものなどとしてもよい。
【００４６】
ここで、上述した特許文献２（特開２００９−１２５５０２号公報）の便座装置のように、電力により作動する振動スピーカなどの所定機能を便蓋に持たせる場合、便蓋を支持する支持軸に電力供給用の配線を通す必要がある。このため、便蓋の支持構造を専用の構成としなければならない。このため、別実施形態では、便蓋の支持構造を専用の構成とすることなく、便蓋に所定機能を付加することを主目的とする。
【００４７】
別実施形態で開示した便座装置は、便器に固定される本体と、前記本体に支持された便座と、前記本体に開閉可能に支持され閉状態で少なくとも前記本体および前記便座のいずれかを覆う便蓋と、を備える便座装置であって、前記本体の内部または前記便座の内部に配設された給電コイルと、前記便蓋の閉状態で前記給電コイルと対向するように前記便蓋に配設され、非接触で前記給電コイルから電力を受電する受電コイルと、前記便蓋に配設され、前記受電コイルで受電された電力を充電可能なバッテリと、前記便蓋に配設され、前記バッテリの電力により機能する機能部と、を備えることを要旨とする。
【００４８】
こうした本開示の便座装置は、本体の内部または便座の内部に給電コイルが配設され、便蓋に、非接触で給電コイルから電力を受電する受電コイルと、受電コイルで受電された電力を充電可能なバッテリと、バッテリの電力により機能する機能部と、が配設されている。このため、給電コイルと受電コイルとにより非接触で機能部に電力を供給することができるから、便蓋の支持軸を機能部への電力供給用の配線を通すために中空の構造とする必要がないものとなる。したがって、便蓋の支持構造を専用の構成とすることなく、便蓋に所定機能を付加することができる。なお、機能部としては、便蓋を振動させることで音を発生させる振動スピーカとしたり、液晶画面などの各種情報を表示可能な表示画面などとしたり、それらの組み合わせとしたりすることができる。また、給電コイルから受電コイルへの送電は、電磁誘導式や磁界共鳴式などにより行うものとすることができる。
【００４９】
本開示の便座装置において、前記便座は、中空の支持軸により前記本体に支持されており、前記支持軸内を通る配線により電力が供給され、前記便座の着座面を加温する便座ヒータを備え、前記給電コイルは、前記便座の内部に配設され、前記支持軸内を通る配線により通電されるものとしてもよい。こうすれば、便座ヒータの配線を通す便座の支持軸内に給電コイルの配線を通せばよく、作業負担が大きく増えるのを抑えることができる。
【００５０】
本開示の便座装置において、前記便座は、前方側の中央部に前記便座ヒータが配設されていない箇所を有し、前記給電コイルは、前記便座の内部のうち前記便座ヒータが配設されていない箇所に配設されるものとしてもよい。こうすれば、便座ヒータによる便座の着座面の加温を阻害すること無く、非接触の給電を可能とすることができる。
【００５１】
本開示の便座装置において、前記便蓋が閉状態から開状態とされたことに基づいて前記機能部の作動を開始し、前記便蓋が開状態から閉状態とされたことに基づいて前記機能部の作動を終了するように前記機能部を制御する制御装置を備えるものとしてもよい。こうすれば、使用者が便座装置を使用する際の便蓋の開閉に合わせて機能部を適切に作動させることができるから、電力を無駄に消費するのを抑えることができる。
【００５２】
本開示の便座装置において、前記便蓋は、閉状態における後方側に前記バッテリが配設され、中央に前記機能部が配設され、前方側に前記受電コイルが配設されるものとしてもよい。こうすれば、中央に機能部が配設されることで、機能部の機能を発揮させ易くすることができる。例えば、機能部として振動スピーカを用いる場合、便蓋全体に振動を偏りなく伝達して、使用者の背後から出力される音の広がり感を高めて音響効果を向上させることができる。また、開閉する便蓋が本体に支持される側である後方側に、比較的重いバッテリを配設することで、便蓋の支持軸に掛かる負担を抑えて便蓋の開閉操作をスムーズに行うことができる。
【００５３】
別実施形態の変形例で開示した機能ユニットは、便器に固定される本体と、前記本体に支持された便座と、前記本体に開閉可能に支持され閉状態で少なくとも前記本体および前記便座のいずれかを覆う便蓋と、を備え、前記本体または前記便座の内部に給電コイルが配設された便座装置の前記便蓋に取付可能な機能ユニットであって、前記給電コイルからの電力を非接触で受電する受電コイルと、前記受電コイルで受電された電力を充電可能なバッテリと、前記バッテリの電力により機能する機能部と、前記便蓋に着脱可能に構成され、前記受電コイルと前記バッテリと前記機能部とを、前記便蓋の閉状態で前記受電コイルが前記給電コイルと対向するように収容したユニットケースと、を備えることを要旨とする。
【００５４】
こうした本開示の機能ユニットは、本体の内部または便座の内部に配設された給電コイルから非接触で電力を受電する受電コイルと、受電コイルで受電された電力を充電可能なバッテリと、バッテリの電力により機能する機能部と、便蓋に着脱可能に構成され受電コイルとバッテリと機能部とを便蓋の閉状態で受電コイルが給電コイルと対向するように収容したユニットケースと、を備える。このため、便座に配設された給電コイルと、便蓋に配設された受電コイルとにより非接触で作動用の電力を機能部に供給することができる。また、ユニットケースが便蓋に着脱可能に構成されるから、便座に給電コイルを配設しておけば、機能ユニットを便座装置に取り付けることで機能部を作動させることができる。したがって、便蓋の支持構造を専用の構成とすることなく、便蓋に所定機能を付加することができる。なお、機能ユニットとしては、便蓋を振動させることで音を発生させる振動スピーカを機能部とするユニットとしたり、液晶画面などの各種情報を表示可能な表示画面を機能部とするユニットなどとしたりすることができる。
【００５５】
実施形態の主要な要素と課題を解決するための手段の欄に記載した発明の主要な要素との対応関係について説明する。本実施形態では、便座装置１０（１０Ｂ，１０Ｃ，１０Ｄ）が「便座装置」に相当し、便座装置本体１１が「本体」に相当し、便座１２が「便座」に相当し、中空部１２ｂが「便座内の中空部」に相当し、振動スピーカ２０が「振動スピーカ」に相当する。また、支持軸１３が「支持軸」に相当し、便座ヒータ１４が「便座ヒータ」に相当し、着座面１２ａが「着座面」に相当し、裏面１２ｄが「裏面」に相当する。別実施形態では、便座装置１００（１００Ｂ，１００Ｃ）が「便座装置」に相当し、便座装置本体１１が「本体」に相当し、便座１１２が「便座」に相当し、便蓋１１６（後方蓋１１６Ｒ，便蓋１１６Ｃ）が「便蓋」に相当し、給電コイル１２１が「給電コイル」に相当し、受電コイル１２３が「受電コイル」に相当し、バッテリ１２５が「バッテリ」に相当し、振動スピーカ１２０が「機能部」に相当する。また、スピーカ制御装置１２７が「制御装置」に相当する。また、ユニットケース２０２が「ユニットケース」に相当し、スピーカユニット２００が「機能ユニット」に相当する。
【００５６】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００５７】
本発明は、便座装置の製造産業などに利用可能である。
【符号の説明】
【００５８】
１  便座、１０，１０Ｂ，１０Ｃ，１０Ｄ，１００，１００Ｂ，１００Ｃ  便座装置、１１  便座装置本体、１２，１１２  便座、１２ａ  着座面、１２ｂ  中空部、１２ｃ  裏面、１２ｄ  底面、１３  支持軸、１４  便座ヒータ、１４ａ  配線、１６，１１６  ，１１６Ｃ  便蓋、１７  着座センサ、１８  操作パネル、１８ａ  洗浄作動スイッチ、１８ｂ  洗浄停止スイッチ、１８ｃ  擬音発生スイッチ、１８ｄ  擬音停止スイッチ、１９  制御装置、２０，１２０  振動スピーカ、２０ａ  配線、１１６ａ  支持軸、１１６Ｆ  前方蓋、１１６Ｒ  後方蓋、１２１  給電コイル、１２１ａ  配線、１２３  受電コイル、１２４  充電部、１２５  バッテリ、１２７  スピーカ制御装置、１２８  係止部、２００  スピーカユニット、２０２  ユニットケース。
【図１】
2019216795.tif 000003
【図２】
2019216795.tif 000004
【図３】
2019216795.tif 000005
【図４】
2019216795.tif 000006
【図５】
2019216795.tif 000007
【図６】
2019216795.tif 000008
【図７】
2019216795.tif 000009
【図８】
2019216795.tif 000010
【図９】
2019216795.tif 000011
【図１０】
2019216795.tif 000012
【図１１】
2019216795.tif 000013
【図１２】
2019216795.tif 000014
【図１３】
2019216795.tif 000015
【図１４】
2019216795.tif 000016